(57)【特許請求の範囲】
【請求項１】
無線通信装置によって実行される方法であって、前記方法が、
現在のパケットの送信間隔の開始に応じて、通信リンクの第１の品質パラメータの第１の測度が第１の品質基準よりも良好であるかどうかを判断することと、
前記第１の品質パラメータの前記第１の測度が前記第１の品質基準よりも良好であると判断したことに応じて、
前記通信リンクの、前記第１の品質パラメータとは異なる第２の品質パラメータの第２の測度を取得することと、
前記通信リンクの前記第２の品質パラメータの前記第２の測度が第２の品質基準よりも良好であるかどうかを判断することと、
前記第２の品質パラメータの前記第２の測度が前記第２の品質基準よりも良好であると判断したことに応じて、前記現在のパケットに対して前記現在のパケットの末尾まで部分パケット復号プロセスを実行することと、
を含む、方法。
【請求項２】
前記第２の品質パラメータの前記第２の測度が前記第２の品質基準よりも良好ではないと前記無線通信装置が判断した場合、前記現在のパケットに対して前記部分パケット復号プロセスが実行されない、
請求項１に記載の方法。
【請求項３】
前記第１の品質パラメータが、前記通信リンクのブロック誤り率、前記通信リンクのビット誤り率、又は前記通信リンクにおける物理チャネルに関連付けられた信号対雑音比のうちの１つである、請求項１に記載の方法。
【請求項４】
前記第２の品質パラメータが、前記通信リンクに関連付けられた信号対雑音比（ＳＮＲ）である、請求項１に記載の方法。
【請求項５】
前記第２の品質パラメータの前記第２の測度が、前記現在のパケットに含まれる情報に基づく、請求項１に記載の方法。
【請求項６】
前記第２の品質パラメータが、前記通信リンクの共通パイロットチャネルに関連付けられた信号対雑音比を含む、請求項１に記載の方法。
【請求項７】
前記第２の品質パラメータが、ダウンリンクチャネルを介して送信されるアップリンク送信電力制御（ＴＰＣ）情報に関連付けられた信号対雑音比を含む、請求項１に記載の方法。
【請求項８】
前記部分パケット復号プロセスが、前記現在のパケットを復号するために１回以上の試行を行うことを含み、前記１回以上の試行の各々が、前記試行時までに受信されたパケットデータの量に基づく、請求項１に記載の方法。
【請求項９】
前記部分パケット復号プロセスを前記実行することが、前記１回以上の試行のうちの１つが成功したという判断に応じて、次の送信間隔の開始まで受信機をオフにすることを含む、請求項８に記載の方法。
【請求項１０】
前記部分パケット復号プロセスが、前記送信間隔の前記開始から所定の時間量待機した後に実行され、前記所定の時間量は、前記所定の時間量経過後の前記現在のパケットの受信部分の有効符号化レートが１未満となるように選択される、請求項１に記載の方法。
【請求項１１】
前記第２の品質パラメータの前記第２の測度を前記取得することが、前記送信間隔の前記開始から所定の時間量にわたって測定値を取得することを含み、前記所定の時間量は、前記所定の時間量経過後の前記現在のパケットの受信部分の有効符号化レートが１未満となるように選択される、請求項１に記載の方法。
【請求項１２】
無線通信装置であって、
通信リンクを介して基地局との無線通信を実行するためのアンテナと、
現在のパケットの送信間隔の開始に応じて、通信リンクの第１の通信パラメータの第１の測度が第１の品質基準よりも良好であるかどうかを判断し、
前記第１の品質パラメータの前記第１の測度が第１の品質基準よりも良好であると判断したことに応じて、
前記通信リンクの、前記第１の品質パラメータとは異なる第２の品質パラメータの第２の測度を取得し、
前記通信リンクの前記第２の品質パラメータの前記第２の測度が第２の品質基準よりも良好であるかどうかを判断し、
前記第２の品質パラメータの前記第２の測度が前記第２の品質基準よりも良好であると判断したことに応じて、前記現在のパケットの末尾まで前記現在のパケットに対して部分パケット復号プロセスを実行する、
ように構成されたプロセッサと、
を備える、無線通信装置。
【請求項１３】
前記第２の品質パラメータの前記第２の測度が前記第２の品質基準よりも良好ではないと前記無線通信装置が判断した場合、前記現在のパケットに対して前記部分パケット復号プロセスが実行されず、
第１の品質パラメータが、前記通信リンクのブロック誤り率である、
請求項１２に記載の無線通信装置。
【請求項１４】
前記第１の品質パラメータが、前記通信リンクのブロック誤り率である、請求項１２に記載の無線通信装置。
【請求項１５】
前記第１の品質パラメータが、前記通信リンクのビット誤り率である、請求項１２に記載の無線通信装置。
【請求項１６】
前記第１の品質パラメータが、前記通信リンクの信号対雑音比（ＳＮＲ）である、請求項１２に記載の無線通信装置。
【請求項１７】
前記第２の品質パラメータが、前記通信リンクに関連付けられた信号対雑音比（ＳＮＲ）である、請求項１２に記載の無線通信装置。
【請求項１８】
前記第２の品質パラメータの前記第２の測度が、前記現在のパケットに含まれる情報に基づく、請求項１２に記載の無線通信装置。
【請求項１９】
前記部分パケット復号プロセスが、前記現在のパケット全体を受信する前に、前記現在のパケットを復号するために１回以上の試行を行うことを含み、前記１回以上の試行の各々が、前記試行時までに受信されたパケットデータの量に基づく、請求項１２に記載の無線通信装置。
【請求項２０】
前記部分パケット復号プロセスを前記実行することが、前記１回以上の試行のうちの１つが成功したという判断に応じて、次の送信間隔の開始まで受信機をオフにすることを含む、請求項１２に記載の無線通信装置。
【発明の詳細な説明】
【技術分野】
【０００１】
本出願は、ネットワーク化された装置に関し、より詳細には、リンク品質が十分に高いときに部分パケット復号のプロセスを選択的に起動するためのシステム及び方法に関する。
【背景技術】
【０００２】
一般的には、２つのタイプのネットワーク送信システムがあり、これらは、回線交換ネットワーク及びパケット交換ネットワークである。パケット交換ネットワークでは、パケットは、別個のバーストで送信される。パケットを受信すると、メッセージを構成するために、適切なシーケンスでそれらを再アセンブルする。回線交換（ＣＳ）接続では、パケットは、ネットワークから連続的にユーザ機器（ＵＥ）に送られ、ＵＥから連続的にネットワークに送られる。したがって、ＵＥにある受信機は、受信したパケットを連続的に復号することができる。
【０００３】
セルラーネットワークでは、同一チャネル干渉を低減し、かつ、基地局のＴｘ電力を節約するために、典型的には、基地局からユーザ機器へのデータ送信のための送信（Ｔｘ）電力（例えば、ＵＭＴＳにおける専用トラフィックチャネル電力）が制御される。ＣＳ接続では、基地局が最小量の電力を使用してリンク品質を維持するように、送信電力が制御される。しかしながら、電力制御は、常に完璧であるわけではない。いくつかの状況では、ＵＥが受信したデータパケットは、必要とされるよりも高いＳＩＮＲ（信号対干渉及び雑音比）を有することがある。そのような状況の例は、１）ＵＥが非常に基地局に近く、基地局の送信電力をその最小Ｔｘ電力限界未満に低下させることができないこと、２）電力制御アルゴリズムの動作が不完全であること、３）電力制御アルゴリズムに固有の遅れがあること、及び４）アップリンクチャネルにおける過剰な干渉により、ＵＥによって送られる送信電力制御（ＴＰＣ）ビットを基地局が確実に復号することが困難になること、のうちの１つ以上を含む。
【０００４】
部分パケット復号（ＰＰＤ）とは、パケットの末尾に達する前であっても、パケットの部分受信に基づいてデータパケットを復号することができるプロセスを指す。部分パケット復号は、復号の試行時に有効な符号化レートが１未満である限り実行され得る。復号の試行が成功した場合、ＵＥは直ちに受信機をオフして、パケットの末尾まで電力を節約することができる。復号が成功しなかった場合、ＵＥは、ある特定の時間期間が経過した後、パケットからのより多くのデータを用いて、もう１度復号を試行することができる。ＵＥは、パケットの末尾に達するまで、複数回、復号を試行することができる。
【０００５】
部分パケット復号に関する１つの課題は、部分パケットに対する復号の試行ごとに、ある特定の量の電力を消費するということである。ＵＥがたった１つのパケットのために複数回復号の試行することになった場合、完全なパケットに対して１回しか復号の試行を行わない場合よりも多くの電力をＵＥが消費することがある。
【発明の概要】
【０００６】
一実施形態では、部分パケット復号を適応的に起動するための方法は、以下の動作を伴い得る。本方法は、基地局からパケットを受信したときに、携帯電話又はモバイル装置のような（通信装置とも呼ばれる）ユーザ機器（ＵＥ）装置によって実行され得る。
【０００７】
通信装置は、現在のパケットの送信期間又は間隔の開始に応じて、通信リンク（すなわち、基地局とのワイヤレスリンク）の品質の第１の測度が第１の品質基準よりも良好であるかどうかを判断することができる。品質の第１の測度は、例えば、ブロック誤り率又はビット誤り率に基づいてもよい。第１の測度は、前に受信したパケットに基づいて計算された測度とすることができる。品質の第１の測度が第１の品質基準よりも良好であるかどうかの判断は、部分パケット復号をイネーブルすべきかを判断するために、すなわち、部分パケット復号の可能性を調査すべきかどうかを判断するために使用され得る。品質の第１の測度が第１の品質基準よりも良好ではない場合、本方法は、部分パケット復号に電力を浪費すべきではないと判断し、部分パケット復号がディスエーブルされる。
【０００８】
品質の第１の測度が第１の品質基準よりも良好であると判断したことに応じて、部分パケット復号がイネーブルされる。部分パケット復号がイネーブルされると、通信装置は、通信リンクの品質の第２の測度を取得し、通信リンクの品質の第２の測度が第２の品質基準よりも良好であるかどうかを判断し、第２の測度が第２の品質基準よりも良好であると判断したことに応じて、現在のパケットの末尾まで現在のパケットに対して部分パケット復号プロセスを実行することができる。
【０００９】
品質の第２の測度として、多種多様な可能性がある。例えば、品質の第２の測度は、通信リンクに関連付けられた信号対雑音比（又は、信号対干渉比、又は、信号対干渉及び雑音比）に基づいてもよい。品質の第２の測度は、現在のパケットに含まれる情報、パケットを復号するために通信装置に送られる、関連付けられた制御情報に含まれる情報、及び／又は他のチャネル（例えば、送信電力及び送信シーケンスが分かっているパイロットチャネル）に含まれる情報から導出され得る。
【００１０】
品質の第１の測度が第１の品質基準よりも良好ではない場合、又は、品質の第２の測度が第２の品質基準よりも良好ではない場合、通信装置は、部分パケット復号をディスエーブルし、現在のパケットの末尾まで待機し、現在のパケットの完全に受信されたコンテンツに基づいてパケット復号を起動することができる。
【００１１】
実施形態の以下の詳細な説明について以下図面と併せて考察すると、本発明をより良く理解することができる。
【図面の簡単な説明】
【００１２】
【図１】例示的な（及び簡略化された）無線通信システムを示す図である。
【００１３】
【図２】ユーザ機器１０６と通信する基地局１０２を示す図である。
【００１４】
【図３】一実施形態に係る、ユーザ機器装置の例示的なブロック図である。
【００１５】
【図４】ブロック誤り率及び信号対雑音比に基づいて、部分パケット復号プロセスを選択的にイネーブルにするための方法の一実施形態のフローチャートである。
【００１６】
【図５】ブロック誤り率並びに信号対雑音比及び電力制御ＤＯＷＮコマンドの数の複合に基づいて部分パケット復号プロセスを選択的にイネーブルにするための方法の一実施形態のフローチャートである。
【００１７】
【図６】２つのリンク品質試験に基づいて部分パケット復号プロセスの性能を制御するための方法の一実施形態を示すフローチャートである。
【００１８】
【図７】ＵＴＭＳ内の専用物理チャネル（ＤＰＣＨ）のスロットの構造を示す図である。
【００１９】
本発明は種々の変更及び代替形態を受けるが、その特定の実施形態が例として図面に示され、本明細書において詳細に説明される。しかし、図面及びそれらに対する詳細な説明は、本発明を、開示されている特定の形態に限定することを意図されているのではなく、逆に、その意図は、添付の請求項によって定義されているとおりの本発明の趣旨及び範囲内に入る全ての変更、均等物及び代替物を範囲に含むことであることを理解されたい。
【発明を実施するための形態】
【００２０】
略語
本特許出願では、以下の略語が使用される。
【００２１】
ＡＰＰＤ：適応型部分パケット復号（Adaptive Partial Packet Decoding）
【００２２】
ＢＬＥＲ：ブロック誤り率（Block Error Rate）（パケット誤り率と同じ）
【００２３】
ＢＥＲ；ビット誤り率（Bit Error Rate）
【００２４】
ＣＤＭＡ：符号分割多元接続（Code Division Multiple Access）
【００２５】
ＣＰＩＣＨ：共通パイロットインジケータチャネル（Common Pilot Indicator Channel）
【００２６】
ＣＲＣ：巡回冗長検査（Cyclic Redundancy Check）
【００２７】
ＣＳ：回線交換（Circuit Switched）
【００２８】
ＤＬ：ダウンリンク（Downlink）
【００２９】
ＤＰＣＨ：専用物理チャネル（Dedicated Physical Channel）
【００３０】
ＤＰＤＣＨ：専用物理データチャネル（Dedicated Physical Data Channel）
【００３１】
ＤＰＣＣＨ：専用物理制御チャネル（Dedicated Physical Control Channel）
【００３２】
ＤＴＣＨ：専用トラフィックチャネル（Dedicated Traffic Channel）
【００３３】
Ｅｃ／Ｉｏ：総電力に対するパイロットチャネルのチップエネルギーの比率（Ratio of chip energy of pilot channel to total power）
【００３４】
ＮＢ：ノードＢ（NodeB）
【００３５】
ＰＣ：電力制御（Power Control）
【００３６】
ＰＥＲ：パケット誤り率（Packet Error Rate）
【００３７】
ＰＰＤ：部分パケット復号（Partial Packet Decoding）
【００３８】
ＳＩＮＲ：信号対干渉及び雑音比（Signal to Interference-and-Noise Ratio）
【００３９】
ＳＩＲ：信号対干渉比（Signal to Interference Ratio）
【００４０】
ＳＮＲ：信号対雑音比（Signal to Noise Ratio）
【００４１】
ＴＰＣ：送信電力制御（Transmit Power Control）
【００４２】
ＴＤＭ：時分割多重（Time Domain Multiplexing）
【００４３】
ＴＤＭｅｄ：時分割多重化（Time Domain Multiplexed）
【００４４】
ＴＦＣＩ：トランスポートフォーマットコンビネーションインジケータ（Transport Format Combination Indicator）
【００４５】
ＴＴＩ：送信時間間隔（Transmission Time Interval）
【００４６】
Ｔｘ：送信（Transmission）
【００４７】
ＵＥ：ユーザ機器（User Equipment）
【００４８】
ＵＬ：アップリンク（Uplink）
【００４９】
ＵＭＴＳ：ユニバーサル移動通信システム（Universal Mobile Telecommunication System）
通信システム
【００５０】
図１は、例示的な（また簡略化された）無線通信システムを示している。図１のシステムは、考えられ得るシステムの１つの例にすぎず、本発明の実施形態は、所望に応じて種々のシステムの任意のものにおいて実行されてよい。
【００５１】
図示のように、例示的な無線通信システムは、伝送媒体を介して１つ以上のユーザ装置１０６−１〜１０６−Ｎと通信する基地局１０２を含む。本明細書では、ユーザ装置の各々を「ユーザ機器」（ＵＥ）と呼ぶあることがある。したがって、複数のユーザ装置はＵＥと総称される。
【００５２】
基地局１０２は、無線基地局装置（ＢＴＳ）又はセルサイトであり得、ユーザ装置１０６−１〜１０６−Ｎとの無線通信を可能にするハードウェアを備える。また、基地局１０２は、ネットワーク１００と通信するために装備され得る。したがって、基地局１０２は、ユーザ装置間の通信、及び／又はユーザ装置とネットワーク１００との間の通信を容易にすることができる。通信システムがＵＴＭＳ標準に準拠するとき、基地局１０２は「ノードＢ」と呼ばれることがある。ＵＴＭＳは、第３世代（３Ｇ）モバイルセルラー技術である。
【００５３】
基地局１０２及びＵＥ装置は、ＧＳＭ（登録商標）、ＣＤＭＡ、ＷＬＬ、ＷＡＮ、ＷｉＦｉ（登録商標）、ＷｉＭＡＸ（登録商標）などのような種々の無線通信技術のいずれかを使用して伝送媒体を介して通信するように構成されてもよい。
【００５４】
図２は、基地局１０２と通信するユーザ機器（ＵＥ）１０６（例えば、装置１０６−１〜１０６−Ｎのうちの１つ）を示している。ＵＥ  １０６は、モバイル電話、ハンドヘルドデバイス、コンピュータ若しくはタブレット等の無線ネットワーク接続性を有するデバイス、又は実質上あらゆる種類の無線デバイスであってよい。ＵＥ  １０６は、メモリ内に記憶されたプログラム命令を実行するように構成されたプロセッサを含んでもよい。ＵＥ  １０６は、そのような記憶された命令を実行することによって、本明細書に記載された方法実施形態のいずれかを実行することができる。実施形態によっては、ＵＥ  １０６は、本明細書に記載されている方法実施形態のうちの任意のもの、又は本明細書に記載されている方法実施形態のうちの任意のものの任意の部分を実行するように構成されたＦＰＧＡ（フィールドプログラマブルゲートアレイ）等のプログラム可能ハードウェア要素を含んでもよい。
【００５５】
いくつかの実施形態では、ＵＥ  １０６は、部分パケット復号（ＰＰＤ）を適応的に採用するように構成される。例えば、いくつかの実施形態では、ＵＥが１０６は、リンク品質が十分である、又は「十分に良好である」と判断されたときにのみ、部分パケット復号を使用するように構成され得る。本明細書に記載するように、リンクの品質は、種々のメトリックのいずれかによって、例えば、ブロック誤り率（ＢＬＥＲ）、ビット誤り率（ＢＥＲ）、ダウンリンク電力制御ビットのシーケンス、ダウンリンクにおいてシグナリングされるアップリンクＴＰＣビットの信号対雑音比（ＳＮＲ）、共通パイロットチャネルの、例えば、ＵＭＴＳにおける共通パイロットチャネル（ＣＰＩＣＨ）のＳＮＲ（Ｅｃ／Ｉｏ）、専用制御チャネルの、例えば、ＵＭＴＳにおける専用物理制御チャネル（ＤＰＣＣＨ）のＳＮＲといったメトリックのうちの１つ以上によって測定することができる。
図３−ＵＥの例示的なブロック図
【００５６】
図３は、ＵＥ  １０６の例示的なブロック図を示している。図示のとおり、ＵＥ  １０６は、種々の目的のための部分を含んでもよいシステムオンチップ（ＳＯＣ）２００を含み得る。例えば、図示のとおり、ＳＯＣ  ２００は、ＵＥ  １０６のためのプログラム命令を実行し得るプロセッサ２０２と、グラフィック処理を実行し、ディスプレイ２４０に表示信号を提供することができる表示回路２０４とを含んでよい。プロセッサ２０２は、メモリ管理ユニット（ＭＭＵ）２４０、並びに／又は、表示回路２０４、無線２３０、コネクタＩ／Ｆ  ２２０、及び／若しくはディスプレイ２４０等の、その他の回路又はデバイスに連結されてもよく、ＭＭＵ  ２４０は、プロセッサ（単数又は複数）２０２からアドレスを受け取り、それらのアドレスを、メモリ（例えば、メモリ２０６、読み出し専用メモリ（ＲＯＭ）２５０、ＮＡＮＤフラッシュメモリ２１０）内の場所に変換するように構成されてよい。実施形態によっては、ＭＭＵ  ２４０はプロセッサ２０２の一部として含まれてもよい。
【００５７】
図示の実施形態では、ＲＯＭ  ２５０は、起動又は初期化時にプロセッサ２０２によって実行され得るブートローダ２５２を含んでもよい。同様に図示されているとおり、ＳＯＣ  ２００はＵＥ  １０６の種々の他の回路に結合されてもよい。例えば、ＵＥ  １０６は、（例えば、ＮＡＮＤフラッシュ２１０を含む）種々のタイプのメモリ、（例えば、コンピュータシステムに結合するための）コネクタインタフェース２２０、ディスプレイ２４０、及び（例えば、ＬＴＥ、ＣＤＭＡ２０００、Ｂｌｕｅｔｏｏｔｈ（登録商標）、ＷｉＦｉなどのための）無線通信回路を含み得る。
【００５８】
ＵＥ装置１０６は、基地局との無線通信を実行するために、少なくとも１つのアンテナを含み得、いくつかの実施形態では、複数のアンテナを含み得る。例えば、ＵＥ装置１０６は、アンテナ２３５及び２３７を使用して、無線通信を実行することができる。ＵＥ  １０６は、複数の（例えば、少なくとも２つの）無線アクセス技術（ＲＡＴ：radio access technologies）を使用してワイヤレスで通信するように構成され得る。
【００５９】
図示のように、ＵＥ  １０６は、スマートカードと呼ばれることもあるＳＩＭ（Subscriber Identity Module：加入者識別モジュール）３１０を含み得る。ＳＩＭ  ３１０は、取外し可能なＳＩＭカードの形態をとることができる。一例として、ＳＩＭ  ３１０は、ユニバーサル集積回路カード（ＵＩＣＣ：Universal Integrated Circuit Card）３１０であり得る。いくつかの実施形態では、ＳＩＭ  ３１０は、種々の電気通信ネットワーク上でローミングするために使用される優先ローミングリスト（ＰＲＬ：preferred roaming list）を記憶することができる。
【００６０】
ＵＥ装置１０６のプロセッサ２０２は、例えば、メモリ媒体（例えば、コンピュータ可読メモリ媒体）に記憶されたプログラム命令を実行することによって、本明細書に記載される方法の一部又は全部を実行するように構成され得る。他の実施形態では、プロセッサ２０２は、ＦＰＧＡ（フィールドプログラマブルゲートアレイ）のようなプログラム可能なハードウェア要素として、又はＡＳＩＣ（特定用途向け集積回路）として構成され得る。
図４
【００６１】
図４は、適応型部分パケット復号を実行するための方法の一実施形態のフローチャート図である。この方法は、ＵＥ  １０６によって実行される。
【００６２】
４０２において、現在のパケットについて、送信時間間隔（ＴＴＩ）を開始する。ＴＴＩが始まると、ＵＥ  １０６は以下の動作を実行する。
【００６３】
４０４において、本方法は、現在のパケットに対する部分パケット復号（ＰＰＤ）をイネーブルにするための第１の条件を評価する。第１の条件は、ブロック誤り率（ＢＬＥＲ）に基づき得る。より詳細には、本方法は、ＢＬＥＲがＢＬＥＲしきい値（ＴＨBLER）未満であるかどうかを判断する。ＢＬＥＲしきい値未満ではない場合には、４０６に示すように、現在のパケットについて部分パケット復号は使用されない。したがって、本方法は、４０４において、ＢＬＥＲベースのＰＰＤゲート作動条件を効果的に実行する。電力制御型ダウンリンクチャネルでは、そのＢＬＥＲは、ＵＥ  １０６によってパケット（又はＴＴＩ）ごとにアップデートされ、現在のＢＬＥＲに基づいて、信号対雑音比（ＳＮＲ）ターゲットが調整される。したがって、ＢＬＥＲは、部分パケット復号のためのゲート作動基準として使用される。現在のパケットＴＴＩにおいてＢＬＥＲ＜ＴＨBLERの場合、制御は４０８に進む。代替実施形態では、ＢＬＥＲの代わりにビット誤り率（ＢＥＲ）を使用することができる。ＰＰＤを適用するためのゲート作動条件として通信リンクの品質を評価するために、種々の他の方法又は技法のいずれかを使用することができる。
【００６４】
ブロック誤り率（ＢＬＥＲ）がＢＬＥＲしきい値（ＴＨBLER）未満である場合、本方法は４０８に進む。
【００６５】
４０８において、本方法は、現在のパケットの最初のｘミリ秒の信号対雑音比（ＳＮＲ）を測定する。（代替実施形態では、ＳＮＲの代わりにＳＩＲ又はＳＩＮＲを測定することができる。）異なる実施形態では、値ｘは、例えば、ＵＭＴＳの２ミリ秒から１８ミリ秒までの範囲の異なる値を有し得る。例えば、値ｘは、１〜５ミリ秒から１５〜２０ミリ秒までの範囲のいずれかの異なる値を有し得る。いくつかの実施形態では、最初のｘミリ秒は、パケットの所与の分割部分をカバーしてもよい。例えば、所与の分割部分は、パケットの３０％〜７０％に及んでもよい。例えば、所与の分割部分は、２０〜４０％から６０〜８０％までのいずれかに及び得る。いくつかの実施形態では、方法は、最初のｘミリ秒中に複数回のＳＮＲ測定を行い、デジタルフィルタ（例えば、ＩＩＲフィルタ）を用いてＳＮＲ測定値をフィルタ処理することができる。例えば、パケットは複数のスロットを含み得、最初のｘミリ秒に生じるスロットごとＳＮＲを判断することができる。次いで、スロットＳＮＲをフィルタ処理することができる。
【００６６】
一実施形態では、フィルタは、以下の形態のＩＩＲフィルタである。
ｙn＝（１−α）*ｙn-1＋α*ＳＮＲn
式中、ＳＮＲnは、最初のｘミリ秒のｎ番目のＳＮＲ測定値であり、αは１未満の正の定数である。また、フィルタ出力値ｙnは、ｆIIR（ＳＮＲn）によって表すことができる。ＩＩＲフィルタは、ｙ0＝０で（又はｙ0＝ＳＮＲ0で）初期化することができる。種々の他のフィルタ構造のいずれかを使用してもよい。
【００６７】
４１０において、本方法は、現在のパケットに対する部分パケット復号をイネーブルにするための第２の条件を評価することができる。一実施形態では、第２の条件は、４０８において測定されたＳＮＲ（又はＳＩＲ又はＳＩＮＲ）に、例えば、最初のｘミリ秒の最後における上述したフィルタの出力値に基づく。（測定されたＳＮＲは短期のリンク品質の測度を表し、ＢＬＥＲは長期のリンク品質の測度を表す。）電力制御型ダウンリンクチャネルでは、ＵＥ  １０６は、測定されたＳＮＲを、ダウンリンクチャネルの現在のＳＮＲターゲットと比較する。例えば、ｆIIR（ＳＮＲ）−ＳＮＲtarget＞ＴＨSNRである場合、リンク品質は十分に良好であると宣言され、それにより、４１２に示すように、現在のパケットの末尾まで部分パケット復号をイネーブルすることができる。（部分パケット符号化をイネーブルした状態で、ＵＥは、パケットを復号するために１回以上の試行を行うことができる。各試行は、試行時までに蓄積されたパケットデータの量に基づき得る。もちろん、（例えば、成功裏のＣＲＣ試験によって示されるように）所与の試行が成功した場合、さらなる試行を行う必要はない。）
【００６８】
反対に、ｆIIR（ＳＮＲ）−ＳＮＲtarget＜ＴＨSNRである場合、４１４に示されるように、現在のパケットについて、部分パケット復号をディスエーブルする。現在のパケットを完全に受信した後、現在のパケットの完全に受信されたコンテンツに基づく復号を実行する。
【００６９】
４０８において、リンク品質の種々の測度のいずれかを測定することができ、それを、ＳＮＲの代わりに（又は、それに加えて）４１０において使用することができる。例えば、種々の実施形態では、以下の条件のうちの１つ以上（あるいは、２つ以上又はすべて）を使用することができる。
１）電力制御コマンドベース：過去のＮ個の電力制御コマンドにおけるＤＯＷＮコマンドの数がしきい値Ｍよりも大きい。
２）ＣＰＩＣＨ  ＳＮＲベース：ｆIIR（ＣＰＩＣＨ＿ＳＮＲ）＞ＴＨCPICH_SNR、式中、ＣＰＩＣＨ＿ＳＮＲは、共通パイロットチャネル（ＣＰＩＣＨ）から導出されるＳＮＲである。
３）ＴＰＣ−ＳＮＲベース：ｆIIR（ＵＬ＿ＴＰＣ＿ＳＮＲ）＞ＴＨULTPC_SNR、式中、ＵＬ＿ＴＰＣ＿ＳＮＲは、ＤＬチャネル、例えば、ＵＭＴＳにおける専用物理制御チャネル（ＤＰＣＣＨ）を介して送られるアップリンクＴＰＣに関連付けられたＳＮＲであり、ＤＰＤＣＨで時分割多重化（ＴＤＭｅｄ）される。
【００７０】
上記の条件２）に関しては、ＴＨCPICH_SNRは、０個、１つ以上のファクタ、例えば、ＣＰＩＣＨコード電力とＤＰＣＣＨコード電力との関係を考慮して、及び／又はダウンリンク電力制御のターゲットＳＮＲを考慮して、動的にアップデートされ得ることに留意されたい。「コード電力」とは、特定の物理層コードチャネルに割り当てられた送信電力の量を意味する。
【００７１】
上記で条件３）に関して、ＴＨUL_TPC_SNRは、０個、１つ又はそれ以上のファクタ、例えば、ＵＬ＿ＴＰＣ電力と専用パイロットの電力、例えば、ＵＭＴＳにおけるＤＰＣＣＨ中の専用パイロット電力との関係を考慮して、及び／又はダウンリンク電力制御のターゲットＳＮＲを考慮して、動的にアップデートされ得る。
【００７２】
図５は、適応型部分パケット復号を実行するための方法の代替実施形態を示している。４０８*において、ＵＥは、ＳＮＲの代わりに、ｆIIR（ＣＰＩＣＨ＿ＳＮＲ）を測定する。４１０*において、ＵＥは、条件
ｆIIR（ＣＰＩＣＨ＿ＳＮＲ）＞ＴＨCPICH_SNR
と、過去のＮ個の電力制御コマンドにおけるＤＯＷＮコマンドの数がＭよりも大きいという条件の論理積を評価する。この代替実施形態の残りのステップは、図４の実施形態の同様の番号が付されたステップと同様である。
【００７３】
図６は、リンク品質の２つの測度に基づいて部分パケット復号の性能を制御するための方法の一実施形態を示している。本方法は、通信システムのユーザ機器１０６によって実行され得る。例えば、図１及び図２を参照されたい。本方法は、図１〜図５に関して上述した特徴の任意のサブセットを含み得る。
【００７４】
６１０において、ユーザ機器は、現在のパケットの送信間隔の開始に応じて、通信リンクの品質の第１の測度が第１の品質基準よりも良好であるかどうかを判断することができる。品質の第１の測度は、ブロック誤り率若しくはビット誤り率、又は任意の他の望ましい測度であり得る。
【００７５】
６１５において、ユーザ機器は、品質の第１の測度が第１の品質基準よりも良好であると判断したことに応じて、動作６２０〜６３０を実行することができる。
【００７６】
６２０において、ユーザ機器は、通信リンクの品質の第２の測度を取得することができる。品質の第２の測度は、上記に論じた測度のうちのいずれか又はそれらの測度の任意の論理結合であり得る。第２の測度は、現在のパケット、例えば、現在のパケットの最初の部分から導出された測度であり得る。
【００７７】
６２５において、ユーザ機器は、通信リンクの品質の第２の測度が第２の品質基準よりも良好であるかどうかを判断することができる。これらの判断は、種々に上述したように、不等式試験の形態をとることができる。
【００７８】
６３０において、ユーザ機器は、第２の測度が第２の品質基準よりも良好であると判断したことに応じて、（現在のパケットの末尾まで）現在のパケットに対して部分パケット復号プロセスを実行することができる。部分パケット復号プロセスは、種々に上述したように実行することができる。
【００７９】
いくつかの実施形態では、品質の第２の測度は、通信リンクに関連付けられた信号対雑音比（ＳＮＲ）である。代替的には、第２の測度は、通信リンクに関連付けられた信号対干渉比（ＳＩＲ）又は信号対干渉及び雑音比（ＳＩＮＲ）であり得る。
【００８０】
いくつかの実施形態では、第２の測度は、基地局に送信された電力制御ＤＯＷＮコマンドの数を含む。例えば、図５を参照のこと。
【００８１】
いくつかの実施形態では、品質の第２の測度は、上述したように、現在のパケットに含まれる情報、例えば、現在のパケットの最初のｘミリ秒に含まれる情報に基づく。
【００８２】
いくつかの実施形態では、現在のパケットに対する部分パケット復号プロセスは、現在のパケットを復号するために１回以上の試行を行うことを含み得る。１回以上の試行の各々は、試行時にまでに受信された現在のパケットのデータの量に基づく。
【００８３】
いくつかの実施形態では、部分パケット復号プロセスは、例えば、種々に上述したように、送信間隔の開始から所定の時間量待機した後に実行される。所定の時間量は、所定の時間量経過後の現在のパケットの受信部分の有効符号化レートが１未満となるように選択される。
【００８４】
いくつかの実施形態では、品質の第２の測度を取得するアクションは、送信間隔の開始から、所定の時間量にわたって測定値を取得することを含み、所定の時間量は、所定の時間量経過後の現在のパケットの受信部分の有効符号化レートが１未満となるように選択される。
ＵＭＴＳにおけるダウンリンク電力制御
【００８５】
Ａ．ＤＴＣＨ−内部ループＰＣ（ＩＬＰＣ）
いくつかの実施形態では、スロットごとに（１０ｍｓフレーム中に１５個のスロットがある）、専用パイロットをＵＥに送信して、受信ＳＩＲを測定する。図７は、スロットの構造の一実施形態を示している。測定ＳＩＲは、測定ＢＬＥＲから導出されるＳＩＲターゲットと比較され得る。ＳＩＲ＜ＳＩＲtargetである場合、ＵＥは、基地局１０２にＵＰ（＋）コマンドを送り、ＳＩＲ≧ＳＩＲtargetである場合には、基地局１０２にＤＯＷＮ（−）コマンドを送る。ＵＰコマンドは、基地局に、ＤＬチャネル上における、例えば、ＵＭＴＳにおけるＤＰＤＣＨ及びＤＰＣＣＨ上における基地局の送信電力を増大させるように指示する。ＤＯＷＮコマンドは、基地局に、ＤＬチャネル上における、例えば、ＵＭＴＳにおけるＤＰＤＣＨ及びＤＰＣＣＨ上における基地局の送信電力を低下させるように指示する。１つのＴＰＣコマンドは、スロットごとに、ＵＥから基地局に送信される。
【００８６】
Ｂ．ＤＴＣＨ−外部ループＰＣ（ＯＬＰＣ）
【００８７】
ＢＬＥＲ＞ＢＬＥＲtargetである場合、ＵＥは、そのＳＩＲtargetを、ｄＢで量ΔPlusだけ増大させ、ＢＬＥＲ≦ＢＬＥＲtargetである場合には、ＵＥは、そのＳＩＲtargetを、ｄＢで量ΔMinusだけ低下させる。パラメータΔPlus及びΔMinusは、望ましいＢＬＥＲを達成するように選択され得る。例えば、１％  ＢＬＥＲ（すなわち、１００パケット中１ＣＲＣエラー）を達成するためにΔPlus＝１ｄＢ及びΔMinus＝０．０１ｄＢを使用することができる。実際には、ＣＲＣエラーがない場合、ＯＬＰＣは、０．０１ｄＢずつＳＩＲtargetを段階的に低下させる。ＣＲＣエラーが生じると、ＳＩＲtargetを１ｄＢずつ増大させる。
【００８８】
ＢＬＥＲは、ＴＴＩごとにアップデートされ得る。（ＴＴＩは、ＵＭＴＳにおけるＤＴＣＨの場合、２０ｍｓである。）ＢＬＥＲがアップデートされるといつでも、ＳＩＲtargeもアップデートされ得る。
【００８９】
本発明の実施形態は種々の形態の任意のもので実現されてよい。例えば、実施形態によっては、本発明は、コンピュータによって実行される方法、コンピュータ可読メモリ媒体、又はコンピュータシステムとして実現されてもよい。他の実施形態では、ＡＳＩＣのような１つ以上のカスタム設計されたハードウェア装置を使用して、本発明を実現することができる。他の実施形態では、ＦＰＧＡのような１つ以上のプログラム可能なハードウェア要素を使用して、本発明を実現することができる。
【００９０】
いくつかの実施形態では、コンピュータ可読メモリ媒体は、プログラム命令及び／又はデータを記憶するように構成されてもよく、プログラム命令は、コンピュータシステムによって実行される場合、コンピュータシステムに、本方法を、例えば、本明細書に記載された方法の実施形態のうちのいずれか、又は、本明細書に記載された方法の実施形態の任意の組合せ、又は、本明細書に記載された方法の実施形態のうちのいずれかの任意のサブセット、又は、そのようなサブセットの任意の組合せを実行する。
【００９１】
いくつかの実施形態では、コンピュータシステムは、プロセッサ（又はプロセッサのセット）とメモリ媒体とを含むように構成されてもよく、メモリ媒体は、プログラム命令を記憶し、プロセッサは、メモリ媒体からプログラム命令を読み出し、それを実行するように構成され、プログラム命令は、本明細書に記載された種々の方法の実施形態（又は、本明細書に記載された方法の実施形態、又は、本明細書に記載された方法の実施形態のうちのいずれかの任意のサブセット、又は、そのようなサブセットの任意の組合せ）のうちのいずれかを実行するように実行可能である。コンピュータシステムは、種々の形態の任意のもので実現され得る。例えば、コンピュータシステムは、（その種々の実現形態のうちのいずれかにおける）パーソナルコンピュータ、ワークステーション、カード上のコンピュータ、ボックス中の特定用途向けコンピュータ、サーバコンピューター、クライアントコンピュータ、ハンドヘルドデバイス、タブレットコンピュータ、ウェアラブルコンピュータなどであり得る。
【００９２】
上述の実施形態はかなり詳細に説明されているが、上述の開示が完全に理解されれば、当業者には数多くの変形及び変更が明らかになるであろう。添付の請求項はこのような変形及び変更を全て包含するように解釈されることが意図されている。
【図１】
0006046170.tif 000002
【図２】
0006046170.tif 000003
【図３】
0006046170.tif 000004
【図４】
0006046170.tif 000005
【図５】
0006046170.tif 000006
【図６】
0006046170.tif 000007
【図７】
0006046170.tif 000008